(57)【要約】【課題】  操作設定が複雑な電子機器において、操作メニューの構成や表現内容が自動的に変化する操作メニューで、ユーザーに適切な操作メニューを提供するものである。【解決手段】  操作設定が複雑で、モニター画面の選択肢を通して操作設定する電子機器において、選択肢の内容からユーザーの目的および操作技能の要素を推測し、ユーザーが選ぶ選択肢の内容に含まれる属性と、電子機器の現象の属性とに分類された項目を数値化し、ユーザーの操作に適切と推測する、操作メニュー構成変更データと、選択肢の表現変更データと、電子機器設定変更データとを用意し、数値化した項目と変更データの実行とが適切になる演算式をあてはめ、その処理の実行により、ユーザーの操作に適切な、選択肢の階層構造上の配置や、選択肢の表現内容の変更や、電子機器の設定などを変更し、使いやすい操作メニューを提供する手法である。【選択図】図１
2010092448.tif 000002
【特許請求の範囲】
【請求項１】
マイクロコンピューター内蔵の電子機器で文章、静止画、動画、音声にて操作設定用の選択肢を表現し、階層構造上に位置する該選択肢の選択、および電子機器の状態により、該選択肢の表現する位置および表現内容を変更するものであり、
選択肢推定処理データの中に、ユーザーの選択肢の選択から推定できる、ユーザーの目的と操作熟練度と習慣性と、電子機器の状態とに適した、選択肢の表現の位置の変更、および表現内容の変更、および電子機器の設定変更のデータを用意しておき、ユーザーの選択肢の選択から、該選択肢推定処理データを実行するものであり、
機器推定処理データの中に、機器状態データの変化から推定できる、ユーザーの目的と操作熟練度と習慣性と、電子機器の状態とに適した、選択肢の表現の位置の変更、および表現内容の変更、および電子機器の設定変更のデータを用意しておき、機器状態データの変化から、該機器推定処理データを実行するものであり、
選択肢推定処理データと機器推定処理データを合わせたものが推定処理データであり、
該推定処理データの実行の効果として、ユーザーの選択肢の選択や、電子機器の状態の変化により、
ユーザーの目的と操作熟練度と習慣性と、電子機器の状態とに適切な、操作項目に自動的に変更されるもので、
選択肢の表現の位置と表現内容の再構成、および電子機器の設定変更を行うことを特徴とした操作項目自動適切化方法。
【請求項２】
前記の推定処理データにおいて、ユーザーの目的と操作熟練度と習慣性と、電子機器の状態とに適した、操作項目に変更する演算式を実行するもので、
ユーザーが選択する選択肢の内容に含まれる属性に分類された値と、電子機器の現象の属性に分類された値とを、該演算式の被演算数値として、
推定結果の実行が適切な該操作項目の変更になる、該演算式を設定し、
その演算結果の値の程度に指定された、該推定結果であることの表現処理および機能処理の実行をおこなう、請求項１記載の操作項目自動適切化方法。
【請求項３】
前記の推定処理データにおいて、被演算数値であることの固定演算基準値、変動演算基準値、機器状態データを用いた演算式を用意しておき、
該演算式にて推定演算を行い評価値を求める、請求項１〜２記載の操作項目自動適切化方法。
【請求項４】
前記の推定演算において、ユーザーが選択する選択肢の内容に含まれる属性に分類された値と、電子機器の現象の属性に分類された値との被演算数値に対して、
設定された値の条件値にて演算を行い評価値を求める、請求項１〜３記載の操作項目自動適切化方法。
【請求項５】
前記の推定演算において、推定結果の実行の是非を決める判定基準値と、評価値とを比較し、その比較の結果に指定された該推定結果を実行する、請求項１〜４記載の操作項目自動適切化方法。
【請求項６】
前記の推定演算において、工場出荷されてからの電源の起動回数の値を被演算数値とする、請求項１〜５記載の操作項目自動適切化方法。
【請求項７】
前記の推定演算において、電源ＯＮもしくは電源ＯＦＦの特性に分類された値を被演算数値とする、請求項１〜５記載の操作項目自動適切化方法。
【請求項８】
前記の推定演算において、時間の値を被演算数値とする、請求項１〜５記載の操作項目自動適切化方法。
【請求項９】
前記の推定演算において、選択肢の選択の回数の値を被演算数値とする、請求項１〜５記載の操作項目自動適切化方法。
【請求項１０】
前記の推定演算において、選択肢の内容の属性に分類された値を被演算数値とする、請求項１〜５記載の操作項目自動適切化方法。
【請求項１１】
前記の推定演算において、電子機器の待機電源時の電源切れの特性に分類された値を被演算数値とする、請求項１〜５記載の操作項目自動適切化方法。
【請求項１２】
前記の推定演算において、選択肢の表現位置の順位の値を被演算数値とする、請求項１〜５記載の操作項目自動適切化方法。
【請求項１３】
前記の推定演算において、選択肢の表現位置の順位に対し、付随する選択肢の表現位置の順位を設ける、請求項１〜５記載の操作項目自動適切化方法。
【請求項１４】
請求項１〜１３の推定演算による推定結果によって設定された、該設定に対し、選択肢の選択もしくは機器状態データの変化によって該設定を変更する、請求項１〜５記載の操作項目自動適切化方法。
【請求項１５】
請求項１〜１３の推定演算による第一の推定結果によって設定された、該設定に対し、請求項１〜１３の第二の推定結果によって該設定を変更する、請求項１〜５記載の操作項目自動適切化方法。
【請求項１６】
請求項１〜１３の、一の選択肢の選択による推定処理データの実行において、他の選択肢の推定演算および推定結果の実行を行う、請求項１〜５記載の操作項目自動適切化方法。
【請求項１７】
請求項１〜１３の、推定による、選択肢の表現の位置と表現内容の再構成、および電子機器の設定変更が、ある程度の確率の利便性の向上の推測で、該推測した内容の処理を行った場合に、その推測の処理を実行した方が、それを実行しないソフトウエアより、利便性が高いことがユーザーにとって明らかである推定の内容を実行し、さらに不都合な結果の発生を補う内容を、その処理の内容に盛り込むことを特徴とする請求項１〜５記載の操作項目自動適切化方法。
【発明の詳細な説明】
【技術分野】
【０００１】  本発明は、電子機器の操作メニューが、ユーザーの操作の特徴や電子機器の状態を考慮して、自動的に適切な操作メニューに変化する、操作項目の自動適切化方法に関するものであり、マイクロコンピューター内蔵の電化製品全般に該当するものである。
特願２００４−３４９２２９のソフトウエアの展開例である。
【背景技術】
【０００２】  多機能で複雑化した電子機器は、現代では非常に多く存在するが、多機能の電子機器の操作の簡易化については、現在のところ充分なシステムがなく、多機能な電子機器を使いこなすには、取扱い説明書を習得する必要があり、一般の人が利用するには、設定が複雑で性能を充分に発揮できない電子機器は多く存在する。
【特許文献１】特願２００５−１５３４７５
【発明の開示】
【発明が解決しようとする課題】
【０００３】  操作の難しい電子機器が、操作する人の特徴を推測し、電子機器の状態を照らしあわせて、使い易い操作メニューに自動的に変更するものである。
【課題を解決する為の手段】
【０００４】  以下に本発明における用語の定義を明確にするものである。
選択肢、推定処理データ、選択肢推定処理データ、機器推定処理データ、推定演算、演算基準値、固定演算基準値、変動演算基準値、判定処理、条件値、評価値、判定基準値、推定結果、表現処理、機能処理、機器状態データは本発明特有の定義である。
【０００５】  ‘選択肢’は、ユーザーに選択される操作項目上の一項目を示し、音声による選択肢も含まれるものである。選択肢の変更とは、操作項目の階層構造上の表現位置の変更であり、選択肢の表現内容の変更でもある。
音声による選択肢とは、電子機器が音声合成にて操作の選択肢を発声し、ユーザーがその選択肢を選ぶ方式のことである。
【０００６】  ‘推定処理データ’は選択肢の選択、もしくは機器状態データの変化から実行され、ユーザーに適した推定結果が、適切な条件で実行されるように、設定された演算プログラムである。
該演算プログラムを実現するために、被演算数値である演算基準値と、条件値により推定演算を行い評価値を求め、判定処理により推定結果の実行の是非を判断し、その推定結果の表現処理データおよび機能処理データを実行するものである。
機器状態データの変化を認識し推定処理データを起動するプログラムは、電子機器全体を管理するプログラム内に組み込まれる場合と、本発明のプログラム内に組み込まれる場合とがある。
推定処理データには、選択肢の選択から起動する‘選択肢推定処理データ’と、機器状態データの変化から起動する‘機器推定処理データ’がある。
【０００７】  ‘推定演算’は推定処理データの演算のことであり、ユーザーが選択する選択肢の内容に含まれる属性に分類された値と、電子機器の現象の属性に分類された値とを、演算式の被演算数値として、ユーザーの目的と操作熟練度と習慣性と、電子機器の状態とに適した、操作項目の変更、および電子機器の設定変更になるように用意された推定結果が、適切な条件のときに実行されるように設定された演算である。
【０００８】  ‘演算基準値’は推定演算をするために、被演算数値となる数値を設定しておくもので、演算基準値には固定演算基準値と変動演算基準値があり、固定演算基準値は変化しない毎回同じ数値を基に演算をするもので、変動演算基準値は演算の結果を該変動演算基準値に代入して、次回の演算に用いるものである。また、機器状態データの値を該演算基準値として用いる場合もある。
【０００９】  ‘判定処理’は評価値と判定基準値の比較により、推定結果を実行するか否かの判断をするもので、等しい“＝”と、大きい“＜”と、小さい“＞”の形式で判断を行うものである。
‘条件値’は評価値を求めるに際し、ユーザーが選択する選択肢の内容に含まれる属性に分類された値と、電子機器の現象の属性に分類された値を、基に設定された演算基準値に対し、適した値で演算し、適切な評価値を求めるための値である。
‘評価値’は判定基準値と比較するために演算結果を代入する記憶媒体である。
‘判定基準値’は評価値と比較し、推定結果の実行の是非を決める設定された値である。
【００１０】  ‘推定結果’は表現処理と機能処理の両方を示すものである。
‘表現処理’は操作項目の選択肢の表現の位置変更と、表現内容の変更をする処理であり、ユーザーに表現する操作項目のメディアの実行であり、音声による表現も含まれている。この表現処理の該位置変更は選択肢の階層構造を変更することになる。
‘機能処理’は本発明に起因する、表現処理以外の電子機器の機能に対して設定を変更する処理のことであり、電子機器を制御しているプログラムへ送るデータである。
【００１１】  ‘機器状態データ’は電子機器の状態のデータであり、電子機器の操作スイッチのデータやセンサー情報や設定内容などのデータであり、表現処理の対象となるデータ以外の電子機器の状態のデータである。
【００１２】  ‘電源ＯＮ’は電子機器の電源を入れる操作による電子機器の状態、‘電源ＯＦＦ’は電子機器の電源を切る操作による電子機器の状態とする。
【００１３】被演算数値
‘被演算数値’は演算式を、選択肢の選択と電子機器の状態の要素に属した、演算を受ける側と、設計者の推定に属した、演算をする側に定義し、その演算を受ける側を意味するものである。
【００１４】  ‘推定’とはユーザーの選択肢の選択や電子機器の状態が直接示す意味ではなく、その選択肢や電子機器の状態の内容には属性があり、その属性からある程度の確率で改善内容であると判断できる、操作項目と機器状態データの変更の、対応方法を設計者が設定することである。
【００１５】  ‘待機電源’とは、電子機器が電源ＯＦＦになっている間、少量の電気量で必要最小限の処理をしていることを示すものである。
【００１６】  本発明は、マイクロコンピューター内蔵の電子機器で文章、静止画、動画、音声にて操作設定用の選択肢を表現し、階層構造上に位置する該選択肢の選択、および電子機器の状態により、該選択肢の表現する位置および表現内容を変更するものであり、
選択肢推定処理データの中に、ユーザーの選択肢の選択から推定できる、ユーザーの目的と操作熟練度と習慣性と、電子機器の状態とに適した、選択肢の表現の位置の変更、および表現内容の変更、および電子機器の設定変更のデータを用意しておき、ユーザーの選択肢の選択から、該選択肢推定処理データを実行するものであり、
機器推定処理データの中に、機器状態データの変化から推定できる、ユーザーの目的と操作熟練度と習慣性と、電子機器の状態とに適した、選択肢の表現の位置の変更、および表現内容の変更、および電子機器の設定変更のデータを用意しておき、機器状態データの変化から、該機器推定処理データを実行するものであり、
選択肢推定処理データと機器推定処理データを合わせたものが推定処理データであり、
該推定処理データの実行の効果として、ユーザーの選択肢の選択や、電子機器の状態の変化により、
ユーザーの目的と操作熟練度と習慣性と、電子機器の状態とに適切な、操作項目に自動的に変更されるもので、
選択肢の表現の位置と表現内容の再構成、および電子機器の設定変更を行うことを特徴とした操作項目自動適切化方法である。
【００１７】  前記の推定処理データにおいて、ユーザーの目的と操作熟練度と習慣性と、電子機器の状態とに適した、操作項目に変更する演算式を実行するもので、
ユーザーが選択する選択肢の内容に含まれる属性に分類された値と、電子機器の現象の属性に分類された値とを、該演算式の被演算数値として、
推定結果の実行が適切な該操作項目の変更になる、該演算式を設定し、
その演算結果の値の程度に指定された、該推定結果であることの表現処理および機能処理の実行をおこなう、操作項目自動適切化方法である。
【００１８】  前記の推定処理データにおいて、被演算数値であることの固定演算基準値、変動演算基準値、機器状態データを用いた演算式を用意しておき、
該演算式にて推定演算を行い評価値を求める、操作項目自動適切化方法である。
【００１９】  前記の推定演算において、ユーザーが選択する選択肢の内容に含まれる属性に分類された値と、電子機器の現象の属性に分類された値との被演算数値に対して、
設定された値の条件値にて演算を行い評価値を求める、操作項目自動適切化方法である。
【００２０】  前記の推定演算において、推定結果の実行の是非を決める判定基準値と、評価値とを比較し、その比較の結果に指定された該推定結果を実行する、操作項目自動適切化方法である。
【００２１】  前記の推定演算において、工場出荷されてからの電源の起動回数の値を被演算数値とする、操作項目自動適切化方法である。
【００２２】  前記の推定演算において、電源ＯＮもしくは電源ＯＦＦの特性に分類された値を被演算数値とする、操作項目自動適切化方法である。
【００２３】  前記の推定演算において、時間の値を被演算数値とする、操作項目自動適切化方法である。
【００２４】  前記の推定演算において、選択肢の選択の回数の値を被演算数値とする、操作項目自動適切化方法である。
【００２５】  前記の推定演算において、選択肢の内容の属性に分類された値を被演算数値とする、操作項目自動適切化方法である。
【００２６】  前記の推定演算において、電子機器の待機電源時の電源切れの特性に分類された値を被演算数値とする、操作項目自動適切化方法である。
【００２７】  前記の推定演算において、選択肢の表現位置の順位の値を被演算数値とする、操作項目自動適切化方法である。
【００２８】  前記の推定演算において、選択肢の表現位置の順位に対し、付随する選択肢の表現位置の順位を設ける、操作項目自動適切化方法である。
【００２９】  前記の推定演算による推定結果によって設定された、該設定に対し、選択肢の選択もしくは機器状態データの変化によって該設定を変更する、操作項目自動適切化方法である。
【００３０】  前記の推定演算による第一推定結果によって設定された、該設定に対し、第二の推定結果によって該設定を変更する、操作項目自動適切化方法である。
【００３１】  前記の、一の選択肢の選択による推定処理データの実行において、他の選択肢の推定演算および推定結果の実行を行う、操作項目自動適切化方法である。
【００３２】  前記の、推定による、選択肢の表現の位置と表現内容の再構成、および電子機器の設定変更が、ある程度の確率の利便性の向上の推測で、該推測した内容の処理を行った場合に、その推測の処理を実行した方が、それを実行しないソフトウエアより、利便性が高いことがユーザーにとって明らかである推定の内容を実行し、さらに不都合な結果の発生を補う内容を、その処理の内容に盛り込むことを特徴とする操作項目自動適切化方法である。
【発明を実施する為の最良の形態】
【００３３】  以下に本発明における用語の定義を明確にするものである。
【００３４】  操作設定用の項目の並んだ画面は、操作メニューの階層構造の一部を表示していることになる。その画面上の選択肢の選択は選択肢推定処理データの実行である。この階層構造の一部を意味する、画面上の認識を‘ＯＳＤ’（Ｏｎ  Ｓｃｒｅｅｎ  Ｄｉｓｐｌａｙ）とするものである。
【００３５】  ‘起動コード’は推定処理データの実行の起因となるものを示すものである。
‘推定コード’は起動コードに対する処理内容を示すものであり、推定処理データの表題である。
【００３６】  操作が高度な電子機器で、操作設定の未熟なユーザー向きの、懇切丁寧な操作メニューを熟練者が使用した場合、簡単で不要な項目が多くなるものである。また、高度な設定内容の操作メニューを未熟なユーザーが使用する場合は、難しくて操作が出来ないものである。ユーザーによって異なる操作メニューは必要といえる。
【００３７】  電子機器のＯＳＤの操作メニュー設計の考え方は、分岐している階層のいずれかに、操作設定する内容が盛り込まれていることであるが、本発明は、ユーザーが選ぶ選択肢や電子機器の状態から、ユーザーが使う状況を推定して、ユーザーに適切な操作環境の操作メニューを提供する手法である。
【００３８】  本発明における“推定”とはユーザーの選択肢の選択や電子機器の状態が直接示す意味ではなく、その選択肢や電子機器の状態の内容には属性があり、その属性から推測し、ある程度の確率で改善内容であると判断できる、操作項目と機器状態データの変更の、対応方法を設計者が設定することである。
また、上記内容は、人間の行動であれば、日常的に行っていることであるが、電子機器操作では、まだ実現出来ていないものである。ワープロには近い機能がある。
【００３９】  本発明の操作メニューの変更の特徴は、ある程度の確率の利便性の向上の推測が、その推測した内容の処理を行った場合に、不都合な結果の発生が少なく、その推測の処理を実行した方が、それを実行しないソフトウエアより、利便性が高いことがユーザーにとって明らかである、推定内容を実行するものある。また、上記の不都合な結果をサポートする内容を、その推定内容に盛り込むものである。
また、本発明の記載の演算基準値、条件値、評価値、判定基準値の値の適正は説明上の都合であり、実際の電子機器に設定する場合は、利便性と不都合を検証して設定するものである。上記の値を、電子機器に対し適正であるものと仮定して以下に記載する。
【００４０】  本発明は、操作メニュー上の選択肢の選択、および電子機器の状態の変化に起因するデータにより実行されるもので、ユーザーの状況と電子機器の状態から、操作メニューの改善を推定するプログラムを設け、そのプログラムの実行により、操作メニューや電子機器の設定を変更する手法である。
【００４１】  電子機器には電子機器全体を制御しているプログラムがあり、そのプログラムに、機器推定処理データを起動する内容を盛り込むことが必要である。電子機器を制御しているプログラムが電子機器の状態の変化から、機器推定処理データを起動する条件が成立した場合に、その起動データを本発明のプログラムに送るものである。図４に示す。
多様な電子機器が存在するが、電子機器の状態と条件を判断し、起動するデータを送るだけであるので、マイクロコンピューターであれば当然可能とするものである。
別の機器推定処理データの起動法として、電子機器全体を制御しているプログラムが機器状態データを更新し、本発明を補助するプログラムが、その機器状態データから機器推定処理データの起動条件を判断し実行させる手法がある。
【００４２】  本発明は特願２００４−３４９２２９の展開例である。
上記出願は、ユーザーの選択肢の選択から、ユーザーの目的や操作熟練度や習慣性の傾向を推定し、操作メニューを変更する手法である。本発明は、電子機器の状態を考慮した推定の手法を追加し、具体的な演算方法のソフトウエアとしての出願である。
【００４３】  図１は、推定処理データのデータ群であり、基本的な構成を示すものである。
現在、よく使われている操作メニューの構造は分岐する階層構造になっている。本発明も、図２の様に階層構造に属するものである。
この階層構造の下位に移るには、ＯＳＤの選択肢の選択により移項するものである。推定処理データは、選択肢の選択や電子機器の状態から起動し、操作メニューの構造や内容や、電子機器の設定の変更を行うものである。また、選択肢の選択により移項する階層を「選択肢の階層」と表現する場合もある。
本発明はこの階層構造を飛び越えて、繋がりが多重に関連する要素がある。仮に、図２の矢印の様な関係が発生する。
図３は、ソフトウエアの流れを示すものである。起動コードと推定コードが階層構造であるが、これは上位に対し２つ以上の処理の可能性を意味する。
【００４４】  図５に推定処理データのプログラムのフローチャートを示す。本発明において基本形となるプログラムの流れである。
【００４５】  以下の説明において、推定処理データのタイトルを‘  ’で囲い、データ名を「  」で囲って表示し、括弧内にデータの内容を示し、選択肢名は［  ］で囲い、文章上の、数値の代用文と数値と数式は“  ”で囲うものである。“→”は代入（データを書き込む）を意味し、演算結果として“＝”と同じである。
有効か無効の形式の機器状態データの場合は、「  」内の内容が正しければ“１”（有効）とし、間違っていれば“０”（無効）とする。
下記演算で評価値の“０”以下の演算結果は“０”とする。すなわち、“評価値≦０”ならば“０→評価値”の式があるものとする。
下記演算で演算前の評価値は“０”とする。
【００４６】  ‘出荷後の初操作の推定’について説明する。本発明の電子機器をデジタルカメラとする。
図６は製品出荷後、ユーザーが初めて電子機器の電源を入れた時に出て来る画面である。本来なら取扱説明書に出てくる内容のもので、操作経験者は当然知っている内容になっている。取扱い操作が高度な電子機器を買ってすぐに、出張や旅行に出かけることを想定すると、取扱説明書を持って行く必要がある。この様な取扱説明から始まるＯＳＤが内蔵していると、取扱説明書を持って出かける必要が無くなるものである。
規定の回数の電源ＯＮをした場合、もしくは操作履歴が撮影用の設定を選択したことになっていると、図７の画面が出てくる。このＯＳＤであれば、すぐに撮影することが可能である。規定の回数の電源ＯＮで取扱説明は不要であると推測し、また撮影用の設定の履歴があれば、ＯＳＤの取扱説明を読んでいるか、撮影技術が有るという推測の基で取扱説明を省略するものである。
規定の回数以後の電源ＯＮで、ユーザーが取扱説明を必要な場合は、他の階層の操作メニューで取扱説明は利用可能であるとする。
【００４７】  上記操作メニュー環境をソフトウエアで実施するのは以下である。
電子機器が電源ＯＮの時に、図１４の「電源ＯＮ」の起動コードから推定コードＰ００１「出荷後使用回数」の推定処理データが実行される。
変動演算基準値の初期値が“１０”であり、一回の電源ＯＮで変動演算基準値は条件値“１”が減算され評価値に代入される。
出荷後初めての電源ＯＮでは、変動演算基準値“１０”から条件値“１”が引かれるので、“変動演算基準値＝評価値＝９”となる。
機器状態データのＥ００１「撮影用設定をした」が有効であれば、“変動演算基準値−８＝評価値”が実行される。
“評価値＞２”ならば、表現処理Ｄ００１（初心者用の取扱説明）が実行され、図６のＯＳＤが表示される。
出荷後使用回数が９回目以降、もしくはＥ００１「撮影用設定をした」が有効であるならば、“評価値≦１”となり、表現処理Ｄ００２（撮影用の操作メニュー画面）と機能処理Ｆ００１「撮影モードにする」を実行する。表示されるＯＳＤは図７になる。
【００４８】  上記の推定演算は、各種状況にそれぞれ適切な演算式を設定するもので、同じことをする演算であっても多様の演算式があり、演算式の内容によって操作メニューの利便性に優劣の差が出でるものである。
上記のＥ００１「撮影用設定をした」は、解像度や撮影環境などの撮影用の設定の履歴を示す。選択肢Ｃ００２［メニュー］から、設定可能の階層に移れるものとする。また、この機器状態データＥ００１は電子機器全体を管理しているプログラムから正しく更新されているものとする。
図１４の表現処理Ｄ００２「撮影」の処理項目の「Ｄ００１の移動」はＣ００６「ヘルプ」の選択で移る階層で、表現処理Ｄ００１「取扱説明」の選択肢を追加するものである。この、処理も正しく行われているものとする。
【００４９】  ‘電源ＯＦＦ期間の推定’について説明する。本発明の電子機器をデジタルカメラとする。
図８のように、スキー場で自動撮影モードの撮影をする場合は、雪の明るさに自動設定されて、人を撮影すると顔が暗く写るものである。
そこで［雪の撮影環境］の撮影環境モードを設定し、人の顔の明るさに合う設定なったとする。一旦この設定で電源ＯＦＦにして、２種類の間隔の電源ＯＮを想定する。
まず、４０分後に再度電源ＯＮになったとする。
この場合、同じ環境で撮影をしていると判断するのが妥当な推測といえる。その為に、前回の終了時と同じ撮影設定の、図８のＯＳＤを表示するものである。
次に、９時間後に再度電源ＯＮになったとする。
この場合、撮影環境が変わっていると判断するのが妥当な推測といえる。その為に、撮影環境モードの［雪の撮影環境］が解除され、標準の撮影環境モードに戻される。撮影可能で、さらに撮影設定の変更が選択できる、図９のＯＳＤが表示される。
【００５０】  上記操作メニュー環境をソフトウエアで実施するのは以下である。
電源がＯＮになると、図１６の「電源ＯＮ」の起動コードから、推定コードＰ００２「電源ＯＦＦ期間」の推定処理データを実行するものである。
Ｅ００３「短期間撮影の設定履歴」が有効の場合、“現在時間−Ｅ００２”の演算をする。Ｅ００２は「前回の電源ＯＦＦの時間」の機器状態データである。
電源ＯＦＦになっていた期間が４０分であれば、Ｐ００２の評価値が８時間に満たない為に、前回使用していた状態と同じ表現処理Ｄ００３が実行され、図８のＯＳＤが表示される。
また、電源ＯＦＦになっていた期間が９時間であれば、Ｐ００２の評価値は８時間以上である為に、表現処理Ｄ００４と機能処理Ｆ００２が実行される。
表現処理Ｄ００４は図９のＯＳＤが表示され、機能処理Ｆ００２は［雪の撮影環境］が解除され標準撮影環境モードの設定にもどる。
【００５１】  上記選択肢の［雪の撮影環境］の設定は、筐体のスイッチで呼出す、メインメニューから設定項目に到達するとする。
機器状態データのＥ００３「短期間撮影の設定履歴」は［雪の撮影環境］だけではなく、撮影環境が夜景や望遠撮影などは、長期間この設定を使用する可能性は低いので、これらの設定が使用された場合、図１５にあるように、Ｅ００３「短期間撮影の設定履歴」を有効にするものである。また、撮影環境が逆光や花火などは、その使用される期間は短いものである。
上記の推定する手法においては、待機電源中の期間を、推定の要素にしたものであるが、現実の設計においては、日没の時間帯を［雪の撮影環境］の解除にすれば良いのであるが、ここでは電源ＯＦＦの期間を推定の要素とするものとして記載する。
図１５のＥ００２とＥ００３の機器状態データは電子機器全体を管理しているプログラムから正しく更新されているものとする。
図１６の機能処理Ｆ００２の撮影環境モードの設定解除は、正常に処理されるものとする。
【００５２】  ‘選択肢使用回数による推定優先表示’について説明する。本発明の電子機器を携帯電話とする。
図１０の操作メニューは、選択肢の選択を繰り返すと、選択肢の選択回数を優先し、上から順番に表示するものである。
また、使用頻度の低い選択肢は階層を下げて配置されるものである。この下の階層から選択肢を選択すると上層に移り復帰することが出来る。
これにより、電子機器の操作を繰り返すことで、選択肢が整理され使用頻度の高いものが表示され、操作メニューが簡素化される。
上記の内容に加えて、ユーザーが［送信フォルダ］の選択肢を選択した場合、ユーザーの目的は送信履歴を見るということになるので、以前に送ったメールを探していると推測できる。ユーザーの探しているメールが［下書］に在る場合も推測できるために、［下書］を［送信フォルダ］に準じて優先表示するものである。
【００５３】  上記操作メニュー環境をソフトウエアで実施するのは以下である。
図１０のメール画面Ｓ００４は、前の回の演算結果で決まった、選択肢が表示されている。その前の回の処理を今回処理中と想定する。
図１８には、メール画面Ｓ００４の階層と、Ｃ０２０［その他］の選択で移る階層との、両方の階層の選択肢の変動演算基準値が表示されている。変動演算基準値の数値表示の欄には“今回→次回”の形式で値が表示されている。ＯＳＤに表示されるのは“今回→次回”であるが、演算では“演算前の値→演算後の値”となる。
今回において、図１８のＣ０２０［その他］の選択で移る階層にて、Ｃ０１７［送信フォルダ］の選択肢を選択すると、図１７の推定コードＰ００３「項目の整理［送信フォルダ］」の推定処理データが実行される。
Ｃ０１７［送信フォルダ］の変動演算基準値“１”には、条件値“６”が代入される。
Ｃ０１６［下書］の変動演算基準値“１”には、条件値“５”が代入される。
メール画面Ｓ００４の他の選択肢の変動演算基準値は条件値“１”が引かれる。
次回のメール画面Ｓ００４の表示の処理は、Ｃ０１３〜Ｃ０１９の選択肢の変動演算基準値を読取り、評価値に代入して、選択肢の表示位置の判定および処理をする。各選択肢に対して順次実行する。
評価値“２”以上の選択肢はＳ００４の画面上に表示される。図１８より、Ｃ０１４、Ｃ０１６、Ｃ０１７が評価値“２”以上であり、評価値の大きい選択肢が上から順に表示される。
演算前には、評価値“２”以上で、演算後に“評価値＝１”になった選択肢は、Ｃ０２０［その他］の選択で移る階層に配置されるため、次回のメール画面Ｓ００４には表示されない。
Ｃ０１８［新着メール確認］の演算前の変動演算基準値は“２”であったので条件値“１”が引かれ、演算後の評価値は“１”になり、次回のメール画面Ｓ００４には表示されない。
次回のメール画面Ｓ００４を図１０に示す。
【００５４】  図１８の今回で、Ｃ０２０［その他］の選択で移る階層で、Ｃ０１７［送信フォルダ］が選択された場合は、準じて優先されるＣ０１６［下書］が在るために、この場合のみ、繰上げにより条件値は“６”となるが、これら以外で準じて優先される選択肢の無い、選択肢が選択された場合の条件値は“５”となるものである。
今回において、メール画面Ｓ００４上に在る、選択肢を演算対象とする処理は正しく処理されるものとする。なお、Ｓ００４上に在る選択肢のみを演算対象とするには、例として、選択された選択肢と準ずる選択肢を対象外にして、変動演算基準値が“２”以上を演算条件にすると可能である。
また、メール画面Ｓ００４に常時表示される３つの選択肢Ｃ０１１、Ｃ０１２、Ｃ０２０は、上記の演算から除外される。
また、図１７の、次回のメール画面の優先表示処理および表現処理は正しく処理されているものとする。
【００５５】  ‘特殊撮影設定の推定’について説明する。本発明の電子機器をデジタルカメラとする。
図１１は、［マニュアルフォーカス］の選択肢を選択すると表示される画面Ｓ００５である。
初心者がシャッタースピードや絞りの間違った設定をすると写らなくなってしまうので、設定を可能にしていない機種がある。
しかし、［マニュアルフォーカス］を使うユーザーは撮影上級者であると推測することができる。そのため、［マニュアルフォーカス］の選択肢を選択したことで、撮影上級者が使用する可能性のある、特殊撮影の選択肢［シャッタースピードの手動］［絞りの手動］を、Ｃ０２１［撮影ヘルプ］の選択で移る階層の、操作メニューに表示するものである。
シャッタースピードや絞りを設定可能にすることで、撮影上級者に対して高機能なカメラとなることができる。
【００５６】  上記操作メニュー環境をソフトウエアで実施するのは以下である。
［マニュアルフォーカス］の選択により、図１９の推定コードＰ００４「特殊撮影設定の推測」の推定処理データが起動する。
固定演算基準値の“５０”がＥ００４「シャッターｎ／５０」に代入され、Ｃ０２１［撮影ヘルプ］の選択で移る階層で、特殊撮影設定の［シャッタースピードの手動］と［絞りの手動］の選択肢が配置される。また、機能処理Ｆ００３「マニュアルフォーカス起動」によりフォーカスが可動になる。
シャッターを押すと、図２０の「シャッターＯＮ」の起動コードから推定コードＰ００５「シャッター回数」が実行され、データが更新される。
Ｅ００４「シャッターｎ／５０」は撮影の毎に条件値“１”が引かれるもので、５０回以上マニュアルフォーカスを使用しないと特殊撮影の必要性が低いと推定し、特殊撮影の操作メニューを非表示にするものである。
すなわち、Ｅ００４≦１で操作メニュー上の特殊撮影の［シャッタースピードの手動］と［絞りの手動］の選択肢を削除し、特殊撮影は利用出来なくなる。
【００５７】  上記の［マニュアルフォーカス］の選択肢は画面Ｓ００５の階層構造上の上位にあり、該選択肢の選択により画面Ｓ００５に移るものである。
図１１のＣ０２１［撮影ヘルプ］の選択で移る階層の、［シャッタースピードの手動］と［絞りの手動］の選択肢の配置は正しく処理されるものとする。また、この階層はＳ００５以外からでも、利用可能とする。
図１１、マニュアルフォーカス設定用表示Ａ００１の設定は、電子機器の筐体に付いているスイッチにより、画面上のカーソルＡ００２を移動させ、距離を変更する形式とする。また、機能処理Ｆ００３「マニュアルフォーカス起動」は電子機器全体を管理しているプログラムから正しく、利用可能にされるものとする。
図２０の、機器状態データのＥ００４「シャッターｎ／５０」は変動演算基準値であってもプログラムが設計可能であるが、ここでは機器状態データとする。
【００５８】  ‘機能復帰の推定’について説明する。本発明の電子機器をデジタルカメラとする。
前項の［マニュアルフォーカス］を選択し、さらにＣ０２１［撮影ヘルプ］の選択で移る階層で、［シャッタースピードの手動］の設定をして撮影し、その後に撮影場所の移動のため撮影条件が変わったとする。
ここで、撮影に必要な明るさの設定にならないとすると、ユーザーが旧設定を忘れている可能性があると推測できる。
このことを、図１２の画面のメッセージＭ００１で伝えるものである。さらに、自動撮影モードへ復帰できるＣ０２２［自動にする］が表示され、特殊撮影に対応できるＣ０２３［撮影ヘルプ］が表示される。
【００５９】  上記操作メニュー環境をソフトウエアで実施するのは以下である。
撮影映像の明暗値が異常の場合、図２１の「撮影画面の明暗異常」の起動コードから、推定コードＰ００９「シャッタースピードと絞りの設定の評価」の推定処理データを実行するものである。
機器状態データのＥ００５「明暗が偏っている」はレベル“０〜５”の数値であり、明暗正常値が“０”で、明暗異常は数値に比例し最高値が“５”である。このＥ００５の値が評価値に代入される。
Ｅ００６「シャッタースピードが手動」が有効ならば評価値に条件値“５”が加算される。
“評価値≧８”であれば、メッセージＭ００１の情報を伝えるべきであると推定できるため、図１２の表現処理Ｄ００７を実行するものである。
これは自動撮影モードに復帰できるＣ０２２［自動にする］と、特殊撮影に対応できる項目の在る、Ｃ０２３［撮影ヘルプ］が表示される。
【００６０】  上記の機器状態データのＥ００５、Ｅ００６の値は、プログラムから正しく更新されているものとする。
【００６１】  ‘機器異常の推定’について説明する。本発明の電子機器をテレビとする。
ユーザーがテレビを移動した後にテレビ放送を見ると、図１３のようにＯＳＤにはアンテナケーブルの不良を告げる表示がされる。
その１０秒後に、動画と音声で故障を見つける方法の説明が始まる。これは、アンテナケーブルが外れてテレビ放送が見られない為に、回復方法を動画と音声で説明してくれるものである。
電波信号（ＲＦ信号）が無くなる前の、待機電源中にＡＣコードが抜けた履歴があると、ケーブルの接続不良の可能性が高いと推測できるからである。
【００６２】  上記操作メニュー環境をソフトウエアで実施するのは以下である。
図２２の様に、事前に更新された機器状態データ、Ｅ００８「前回のＲＦ信号は正常」，Ｅ００９「待機時にＡＣコード抜け」の演算基準値を用いて、図２３の推定演算をし、アンテナの入力異常を推定するものである。
図２３の「ＲＦ信号が無くなった」の起動コードにより、推定コードＰ０１０「アンテナ入力異常推定」の推定処理データが実行される。
機器状態データのＥ００８「前回のＲＦ信号は正常」が有効であれば、固定演算基準値の“１”を評価値に代入し、
Ｅ００９「待機時にＡＣコード抜け」が有効であれば、評価値に条件値“１”を加算する。
“評価値＝２”なら表現処理Ｄ００８が実行され、図１３の、本項目のプログラムが起動する前の画面状態に戻れる、選択肢Ｃ０２４［もどる］と、映像設定の操作メニューへ移動する、選択肢Ｃ０２５［メニュー］が表示される。
その１０秒後に表現処理Ｄ００９により動画と音声による回復方法が説明されることになる。
【００６３】  また、待機電源中にＡＣコードが外れた場合の検知方法の一例として、待機電源で動作している回路がリセット（待機電源回路の電源切れ）された場合に、このリセットを検知信号として、ＡＣコードが外れた可能性があると判断できる。
図２２の機器状態データのＥ００８「前回のＲＦ信号は正常」、Ｅ００９「待機時にＡＣコード抜け」は、電子機器全体を管理しているプログラムから正しく処理されているものとする。
また、Ｄ００９の、動画と音声による回復方法の説明は正しく作動されるものとする。
【００６４】  本発明に記載されている、ユーザーと電子機器の状況を推定して、適切な操作環境を提供する推定演算の値の例は、原理説明のための簡易的な数値で構成している。
本発明を利用し、演算条件の細かい設定や、被演算数値や数式の多様化および高度化や、利便性と不都合が充分に検討された設計により、さらに利便性の高い操作設定を可能にするものである。また、電子機器の多くの機種に対応が可能なものである。
【発明の効果】
【００６５】  操作メニューがユーザーや電子機器の状態に合わせ、変化することで、ユーザーにとって使い易い操作メニューが構成される。操作の初心者であっても、操作の熟練者であっても使いやすい操作メニューで、操作難易度の高い電子機器を操作できるものである。
【図面の簡単な説明】
【００６６】
【図１】  ソフトウエアデータの構成図
【図２】  操作メニューの階層構造図
【図３】  データの流れ図
【図４】  データの関係図
【図５】  フローチャートの基本形態
【図６】  出荷後の初操作の推定１の操作画面図
【図７】  出荷後の初操作の推定２の操作画面図
【図８】  電源ＯＦＦ期間の推定１の操作画面図
【図９】  電源ＯＦＦ期間の推定２の操作画面図
【図１０】  選択肢使用回数の推定優先表示の操作画面図
【図１１】  特殊撮影設定の推定の操作画面図
【図１２】  機能復帰の推定の操作画面図
【図１３】  機器異常の推定の操作画面図
【図１４】  出荷後の初操作の推定のプログラム表
【図１５】  機器状態データの更新１のプログラム表
【図１６】  電源ＯＦＦ時の時間の推定のプログラム表
【図１７】  選択肢使用回数による推定優先表示のプログラム表
【図１８】  使用頻度表と、Ｃ０２０の選択により表示される項目
【図１９】  特殊撮影設定の推定のプログラム表
【図２０】  シャッター回数の更新のプログラム表
【図２１】  機能の復帰の推定のプログラム表
【図２２】  機器状態データの更新２のプログラム表
【図２３】  機器異常の推定のプログラム表
【符号の説明】
【００６７】Ｓ００１  出荷後の初操作の操作メニュー画面番号
Ｓ００２  撮影用の画面番号
Ｓ００３  撮影用の画面番号
Ｓ００４  メールの操作メニュー画面番号
Ｓ００５  撮影用の画面番号
Ｓ００６  撮影用の画面番号
Ｓ００７  アンテナ入力異常時の操作メニュー画面番号
Ｃ００１  ［次へ］の選択肢番号
Ｃ００２  ［メニュー］の選択肢番号
Ｃ００３  ［オートモードで撮影］の選択肢番号
Ｃ００４  ［撮影シーンで選ぶ］の選択肢番号
Ｃ００５  ［設定する］の選択肢番号
Ｃ００６  ［ヘルプ］の選択肢番号
Ｃ００７  ［前回と同じ撮影］の選択肢番号
Ｃ００８  ［撮影シーンの変更］の選択肢番号
Ｃ００９  ［他のメニュー］の選択肢番号
Ｃ０１０  ［ヘルプ］の選択肢番号
Ｃ０１１  ［新規作成］の選択肢番号
Ｃ０１２  ［アドレス帳］の選択肢番号
Ｃ０１３  ［受信フォルダ１］の選択肢番号
Ｃ０１４  ［受信フォルダ２］の選択肢番号
Ｃ０１５  ［受信フォルダ３］の選択肢番号
Ｃ０１６  ［下書］の選択肢番号
Ｃ０１７  ［送信フォルダ］の選択肢番号
Ｃ０１８  ［新着メール確認］の選択肢番号
Ｃ０１９  ［設定］の選択肢番号
Ｃ０２０  ［その他］の選択肢番号
Ｃ０２１  ［撮影ヘルプ］の選択肢番号
Ｃ０２２  ［自動にする］の選択肢番号
Ｃ０２３  ［撮影ヘルプ］の選択肢番号
Ｃ０２４  ［もどる］の選択肢番号
Ｃ０２５  ［メニュー］の選択肢番号
Ｐ００１  「出荷後使用回数」の推定コード番号
Ｐ００２  「電源ＯＦＦ期間」の推定コード番号
Ｐ００３  「項目の整理［送信フォルダ］」の推定コード番号
Ｐ００４  「特殊撮影設定の推定」の推定コード番号
Ｐ００５  「シャッター回数」の推定コード番号
Ｐ００６  「メール画面の優先表示」の推定コード番号
Ｐ００９  「シャッタースピードと絞りの設定の評価」の推定コード番号
Ｐ０１０  「アンテナ入力異常推定」の推定コード番号
Ｄ００１  取扱説明の表示処理番号
Ｄ００２  撮影の表示処理番号
Ｄ００３  雪の撮影環境の表示処理番号
Ｄ００４  標準撮影環境モードの表示処理番号
Ｄ００６  マニュアルフォーカスの表示処理番号
Ｄ００７  撮影不適性の表示処理番号
Ｄ００８  機器異常告知の表示処理番号
Ｄ００９  アンテナケーブルの回復方法の表示処理番号
Ｆ００１  撮影モード設定の機能処理番号
Ｆ００２  撮影環境モードの設定解除の機能処理番号
Ｆ００３  マニュアルフォーカス起動の機能処理番号
Ｅ００１  「撮影用設定をした」の機器状態データ番号
Ｅ００２  「前回の電源ＯＦＦの時間」の機器状態データ番号
Ｅ００３  「短期間撮影の設定履歴」の機器状態データ番号
Ｅ００４  「シャッターｎ／５０」の機器状態データ番号
Ｅ００５  「明暗が偏っている」の機器状態データ番号
Ｅ００６  「シャッタースピードが手動」の機器状態データ番号
Ｅ００８  「前回のＲＦ信号は正常」の機器状態データ番号
Ｅ００９  「待機時にＡＣコード抜け」の機器状態データ番号
Ａ００１  マニュアルフォーカス設定用の表示
Ａ００２  マニュアルフォーカス設定量のカーソル
Ｍ００１  メッセージ番号
【図１】
2010092448.tif 000003
【図２】
2010092448.tif 000004
【図３】
2010092448.tif 000005
【図４】
2010092448.tif 000006
【図５】
2010092448.tif 000007
【図６】
2010092448.tif 000008
【図７】
2010092448.tif 000009
【図８】
2010092448.tif 000010
【図９】
2010092448.tif 000011
【図１０】
2010092448.tif 000012
【図１１】
2010092448.tif 000013
【図１２】
2010092448.tif 000014
【図１３】
2010092448.tif 000015
【図１４】
2010092448.tif 000016
【図１５】
2010092448.tif 000017
【図１６】
2010092448.tif 000018
【図１７】
2010092448.tif 000019
【図１８】
2010092448.tif 000020
【図１９】
2010092448.tif 000021
【図２０】
2010092448.tif 000022
【図２１】
2010092448.tif 000023
【図２２】
2010092448.tif 000024
【図２３】
2010092448.tif 000025